(57)【要約】  【課題】  錠剤、カプセル剤などの薬剤を収納したプレススルーパッケージにおいて膨らみ収納部を指圧した際、膨らみ収納部のたわみまたは潰れを容易にし、蓋材の易開封性を向上させる、及び片手で開封可能にする。  【解決手段】  錠剤４を収納する膨らみ収納部２０を備えた樹脂シート本体１０と,前記膨らみ収納部２０を封止する蓋材６とからなり、前記蓋材６を破壊して前記錠剤４を取り出す形式のパッケージであって、前記膨らみ収納部２０の天面２３のほぼ中央部を横断する凹溝７０を形成することにより前記天面２３を錠剤４収納側に略くの字状にたわみ易くしたものであって、前記凹溝７０は錠剤４収納側に凹んでいるとともに, 小片１５内で隣り合う膨らみ収納部２０毎に前記凹溝７０の横断方向を異ならせ,略ハの字形を形成するようにした構成。【選択図】  図１
2008308213.tif 000002
【特許請求の範囲】
【請求項１】
薬剤を収納する膨らみ収納部を備えた樹脂シート本体と,前記膨らみ収納部を封止する蓋材とからなり、前記蓋材を破壊して前記薬剤を取り出す形式のパッケージであって、切り込みによって区画される小片内に二つの膨らみ収納部を備え、前記膨らみ収納部の天面のほぼ中央部を横断する凹溝を形成することにより前記天面を薬剤収納側に略くの字状にたわみ易くしたものであって、前記凹溝は薬剤収納側に凹んでいるとともに, 前記小片内で隣り合う前記膨らみ収納部毎に前記凹溝の横断方向を異ならせ,略ハの字形を形成するようにしたことを特徴とする薬剤用プレススルーパッケージ。
【請求項２】
薬剤カプセルを収納する膨らみ収納部を備えた樹脂シート本体と,前記膨らみ収納部を封止する蓋材とからなり、前記蓋材を破壊して前記薬剤カプセルを取り出す形式のパッケージであって、前記膨らみ収納部の天面の長手方向ほぼ中央部を横断する凹溝を形成することにより前記天面を薬剤カプセル収納側に略くの字状にたわみ易くしたものであって、前記凹溝は薬剤カプセル収納側に凹んでいることを特徴とするカプセル用プレススルーパッケージ。
【発明の詳細な説明】
【技術分野】
【０００１】
本発明は、錠剤、カプセル剤などの収納に利用される薬剤用プレススルーパッケージに関する。詳しくは、薬剤を収納した膨らみ収納部のたわみまたは潰れを容易にし、片手で蓋材の開封を可能にした薬剤用プレススルーパッケージに関する。
【背景技術】
【０００２】
錠剤などを収納する膨らみ収納部(ポケットとも呼ばれている。)を供えたプレススルーパッケージは、厚さ３００μｍ程度の塩化ビニルシート等の剛性を有する本体と,厚さ２０μｍ程度のアルミニウム箔からなる蓋材、または厚さ数十μｍ程度のフィルムを多層にした積層樹脂フィルムの蓋材とからなる構成のものが広く用いられている。錠剤などの収納物の取り出しは、膨らみ収納部の頂部を指圧して該収納部を圧潰またはたわませて錠剤を押圧し、錠剤によって蓋材を押し破って開口させ取り出す方法が採用されている。図５は従来の錠剤を収納するプレススルーパッケージの一例における斜視図、図６は図５を切断線Ｓ３〜Ｓ３で切断した要部拡大断面図、図７は従来のカプセル用プレススルーパッケージの斜視図を示す。
【０００３】
蓋材の易開封性を向上させたプレススルーパッケージとして例えば特開２００２−２２５９３０号公報により、シート状成形体(本体)に熱成形により形成され表面側に突出する多数の膨らみ部を備え、多数の各膨らみ部の内側の凹部に非収納物を入れた状態でシート状成形体裏面の凹部の開口部を閉じるように合成樹脂材料からなる積層フィルムを使用してこの積層フィルムをシート状成形体に対し小さな接合力で剥離可能に接合し、前記各凹部の開口部を囲む位置で積層フィルムの裏面側より積層フィルムを厚み方向に貫通するがシート状成形体を厚み方向に貫通しないように切り込みを形成してなることを特徴とする包装体が提案されている。
【０００４】
さらに特開２００３−１８２７８１号公報により、収納部を有する本体とこの収納部を封止する蓋材とからなり、蓋材を破壊して収納物を取り出す形式の薬剤用プレススルーパッケージであって、該蓋材が坪量１００〜３００ｇ／ｍ2 の紙層を主体とするものからなり、この紙層に開口部を形成するためのＹ字状切り込みを設けたことを特徴とする薬剤用プレススルーパッケージが提案されている。
【特許文献１】特開２００２−２２５９３０号公報
【特許文献２】特開２００３−１８２７８１号公報
【発明の開示】
【発明が解決しようとする課題】
【０００５】
しかし特許文献１、２におけるプレススルーパッケージは蓋材に切り込みを設けることにより蓋材の易開封性を向上させるものである。膨らみ収納部をたわみ易く、または潰し易くするものでない。
【０００６】
本発明は膨らみ収納部の天面中央部を指圧または親指の爪で押圧した際、膨らみ収納部のたわみ、または潰れを容易にし、収納物を介して蓋材を押圧し該蓋材の易開封性を向上させることを目的とする。そして力の弱い子ども、お年寄りにもプレススルーパッケージを容易に開封可能にすることを目的とする。さらに、片手で開封可能にすることを目的とする。
【課題を解決するための手段】
【０００７】
本発明にかかる薬剤用プレススルーパッケージは、薬剤を収納する膨らみ収納部を備えた樹脂シート本体と,前記膨らみ収納部を封止する蓋材とからなり、前記蓋材を破壊して前記薬剤を取り出す形式のパッケージであって、切り込みによって区画される小片内に二つの膨らみ収納部を備え、前記膨らみ収納部の天面のほぼ中央部を横断する凹溝を形成することにより前記天面を薬剤収納側に略くの字状にたわみ易くしたものであって、前記凹溝は薬剤収納側に凹んでいるとともに, 前記小片内で隣り合う前記膨らみ収納部毎に前記凹溝の横断方向を異ならせ,略ハの字形を形成するようにしたことを特徴としたもので、膨らみ収納部の天面の中央付近を指圧,または凹溝を親指の爪で押圧した場合、天面が略くの字状にたわみやすくなり、膨らみ収納部内の薬剤を介して蓋材を破壊し易開封性を向上させる。
また、片手でパッケージの一端側を挟持し他端側の角部を机上に押し当て、膨らみ収納部を凹溝７０に沿って略くの字状に折れ曲がるよう操作することによって蓋材６を片手で開封できる。
【０００８】
さらに、本発明にかかるカプセル用プレススルーパッケージは、薬剤カプセルを収納する膨らみ収納部を備えた樹脂シート本体と,前記膨らみ収納部を封止する蓋材とからなり、前記蓋材を破壊して前記薬剤カプセルを取り出す形式のパッケージであって、前記膨らみ収納部の天面の長手方向ほぼ中央部を横断する凹溝を形成することにより前記天面を薬剤カプセル収納側に略くの字状にたわみ易くしたものであって、前記凹溝は薬剤カプセル収納側に凹んでいることを特徴としたもので、膨らみ収納部の天面の中央付近を指圧または凹溝を親指の爪で押圧した場合、天面が略くの字状にたわみやすくなり、膨らみ収納部内の薬剤を介して蓋材を破壊し易開封性を向上させる。
また、パッケージの一端側角部を片手で挟持し他端側を机上に押し当て、膨らみ収納部を凹溝に沿って略くの字状に折れ曲がるよう操作することによって蓋材を片手で開封できる。
【発明の効果】
【０００９】
上記構成により本発明の薬剤用プレススルーパッケージは、膨らみ収納部の天面中央付近を指圧した場合、または親指の爪で天面を横断する凹溝を押圧した場合、天面が略くの字状にたわみやすくなり、膨らみ収納部内の薬剤を介して蓋材を破壊し易開封性を向上させる。
また、片手でパッケージの一端側を挟持し他端側を机上に押し当て、膨らみ収納部を凹溝に沿って略くの字状に折れ曲がるよう操作することによっても蓋材を片手で開封できる。
その結果、力の弱い子ども、お年寄りにも薬剤用プレススルーパッケージを容易に開封でき錠剤等を手軽に取り出せる。
【発明を実施するための最良の形態】
【００１０】
本発明にかかるプレススルーパッケージは上述の通りである。プレススルーパッケージを構成するシート状成形体(本体)は厚さ２００〜３００μｍ程度の剛性を有する透明な樹脂シートで構成するのが好ましい。透明樹脂シートとしては例えば、塩化ビニルシート、ポリプロピレン(ＰＰ)、ポリエチレンテレフタレート(ＰＥＴ)、ポリエチレン(ＰＥ)等、任意の一般的樹脂部材を用いればよい。
薬剤等を収納する膨らみ収納部は前記本体樹脂を真空成型または圧空成型などにより配設するのが好ましい。膨らみ収納部の樹脂厚さは７０〜１００μｍ程度とするのが好ましい。
【００１１】
蓋材は２０μｍ程度のアルミニウム箔、１０μｍ程度のアルミニウム箔をラミネートした厚さ１００μｍ程度の紙、厚さ４０〜７０μｍ程度の合成樹脂フィルム、異なる種類の樹脂フィルム例えば１２μｍ程度のＰＥＴフィルムと３０μｍ程度のＰＥフィルムを積層した樹脂シート、アルミニウムを１０００Å程度蒸着した樹脂フィルムたとえば２０μｍ程度のＰＥＴフィルム等から選んだ一つとするのが好ましい。
【００１２】
膨らみ収納部の頂部(天面)を指圧した場合に、前記膨らみ収納部の天面を略くの字状にたわみ易くするには、前記天面のほぼ中央部に凹溝を横断させる構成とするのが好ましい。さらに、前記凹溝は薬剤収納側に凹んでいることが必要である。
さらに、切り込みにより隣り合う２個の膨らみ収納部を備えた小片に分離可能であって、前記隣り合う膨らみ収納部の天面に設けた凹溝の横断方向を異ならせ略ハの字形を形成するよう配設するのが好ましい。即ち、小片の領域に配置された膨らみ収納部において、膨らみ収納部天面のほぼ中央部に設けたそれぞれの凹溝の横断方向が前記小片の異なるコーナーをそれぞれ向いているよう配設するのが好ましい(図１、図３参照)。
【００１３】
これによりパッケージの一端側を片手で挟持し他端側の角部を机上に押し当て、膨らみ収納部を凹溝７０に沿って略くの字状に折れ曲がるよう操作することによって蓋材６を片手で開封できる。小片の２個の薬剤取り出しが終われば切り込みを複数回交互に折り曲げして空の小片部分を分離、除去するのが好ましい。
【実施例１】
【００１４】
以下、本発明の薬剤用プレススルーパッケージを図面とともに説明する。図１は本発明の一実施例における薬剤用プレススルーパッケージの平面図、図２は図１を切断線Ｓ１〜Ｓ１で切断した要部拡大断面図を示す。
【００１５】
図1、図２に示す薬剤用プレススルーパッケージ１００は、錠剤４を収納する膨らみ収納部２０を所定間隔に複数備えたシート状成形体(本体)１０と,前記膨らみ収納部(ポケット)２０を封止する蓋材６とからなり、前記蓋材６を破壊して錠剤４を取り出す形式のパッケージである。そして、前記膨らみ収納部２０の天面２３のほぼ中央部を横断する凹溝７０を略半円形に配設してなる。前記凹溝７０は錠剤４の収納側に凹んでいる。天面２３を横断する凹溝７０の幅を０．８〜１mm程度、深さ０．４〜０．６mm程度、円弧の半径を０．４〜０．５mm程度とした。
【００１６】
さらに、シート状成形体(本体)１０に切り込み６０を設け、該切り込み６０を複数回交互に折り曲げることにより隣り合う２個の膨らみ収納部２０、２０を備えた小片１５に分離可能にした。小片１５内に位置する隣り合う膨らみ収納部２０ごとに凹溝７０の横断方向をそれぞれ異ならせ、略ハの字形を形成するよう配設した。例えば、シート状成形体(本体)１０の外形を構成する短辺１１または長辺１２に対して所定の角度(θ=約４５度)を成す方向に傾けて斜めに配置した。望ましくは、小片１５の領域に配置された２個の膨らみ収納部２０、２０において、それぞれの凹溝７０の横断方向が前記小片１５の異なるコーナーをそれぞれ向くよう配設した。
【００１７】
シート状成形体(本体)１０は透明な合成樹脂材料たとえばポリプロピレンを材料として作られている。真空成形により表面側に厚み９０μｍ程度の膨らみ収納部２０が２行５列に１０箇所、所定間隔毎に形成されている。膨らみ収納部２０以外のフラットな部分は厚み２００μｍ程度のシート状成形体である。該シート状成形体１０の各膨らみ収納部２０の内側の凹部３０に外周が円形の錠剤４を入れた状態で、凹部３０の開口部５０を閉蓋するようにシート状成形体１０裏面全体に亘って合成樹脂の積層フィルムからなる蓋材６がヒートシールにより装着されている。
【００１８】
前記積層フィルムからなる蓋材６は厚み１２μｍ程度の透明蒸着ポリエチレンテレフタレートフィルム層６ａと、このフィルム層６ａにドライラミネートにより剥離強度２．０Ｎ／ｃｍ以上の大きな接合力で接合された厚み３０μｍ程度の透明なエチレン酢酸ビニル共重合体樹脂とオレフィン樹脂とのブレンド材料からなるフィルム層６ｂとからなる。
該フィルム層６ｂが前記シート状成形体１０の裏面側に向くよう蓋材６をシート状成形体１０に重ねてヒートシール面が界面剥離可能にヒートシールにより装着されている。
【００１９】
詳しくは、フィルム層６ｂとシート状成形体１０とはヒートシール強度１．０Ｎ／ｃｍ〜１３．０Ｎ／ｃｍ程度の小さな接合力で接合されている。なお、蓋材６に透明蒸着ポリエチレンテレフタレートフィルム層６ａを備えるのは凹部３の内部への湿気の浸入防止効果やガスバリヤー効果を得るためである。
シート状成形体(本体)１０についてはポリプロピレンを材料として作られていて厚みが大きいため、凹部３０の内部への湿気の浸入防止効果を発揮する。なお、該シート状成形体１０にガスバリヤー性を必要とする場合には、ガスバリヤー効果のある材料からなるフィルム層を設けてよいことは自明である。
【００２０】
上記構成の包装体の凹部３０より錠剤４を取り出すには、膨らみ収納部２０の天面２３中央部を上から蓋材６方向に向かって指圧すればよい。または凹溝７０を親指の爪で押圧すればよい。これにより天面２３が容易に錠剤４側に折れ曲がり易くなる。そして、天面２３の略くの字状に折れ曲がった部分で錠剤４を押圧し、蓋材６の易開封性を向上させる。凹部３０内の錠剤４は膨らみ収納部２０を介して蓋材６側に押し付けられ、その力によってシート状成形体(本体)１０の開口部５０を覆う蓋材６が開口縁部にほぼ沿って破断し、剥離する。その結果、開口部５０が開いて凹部３０より錠剤４を取り出すことができる。
【００２１】
また、片手でパッケージの一端側を挟持し他端側の角部を机上に押し当て、凹溝７０に親指の爪を当て、膨らみ収納部２０を凹溝７０に沿って略くの字状に折れ曲がるよう操作することによっても蓋材６を開封できる。即ち、力の弱い老人や半身不随の人でもプレススルーパッケージを挟持する指先に体重を掛けるようにすれば容易に錠剤を取り出せる。
なお、小片１５の２個の薬剤取り出しが終われば切り込みを複数回交互に折り曲げ、空の小片を分離しておくのが好ましい。空の小片を分離しておくことにより片手での錠剤取り出し操作が容易になる。
【実施例２】
【００２２】
図３は本発明のもう一つの実施例におけるカプセル用プレススルーパッケージの平面図、図４は図３を切断線Ｓ２〜Ｓ２で切断した要部拡大断面図である。
この場合のカプセル用プレススルーパッケージ２００も基本的に実施例１の薬剤用プレススルーパッケージ１００と同じ構成で、薬剤を封入した細長円筒のカプセル２０４を膨らみ収納部２２０に収納する場合を示す。その他の構成は実施例１と同じである。
【００２３】
カプセル２０４を収納する膨らみ収納部２２０を備えた樹脂シート本体２１０と,前記膨らみ収納部２２０を封止する蓋材６とからなり、前記蓋材６を破壊して前記カプセル２０４を取り出す形式のパッケージであって、前記膨らみ収納部２２０の天面のほぼ中央部を横断する凹溝２７０を形成することにより前記天面をカプセル収納側に略くの字状にたわみ易くしたものである。前記凹溝２７０はカプセル収納側に凹んでいる。小片２１５内に位置する隣り合う膨らみ収納部２２０、２２０で前記凹溝２７０の横断方向を異ならせ,略ハの字形を形成するようにしたことを特徴とする。
【００２４】
略ハの字形は例えば、シート状成形体(本体)２１０の外形を構成する短辺２１１または長辺２１２に対して所定の角度(θ=約４５度)を成す方向に傾けて配置している。
望ましくは、小片２１５の領域に配置された２個の膨らみ収納部２２０、２２０において、凹溝２７０の横断方向が切れ目２６０によって区画された前記小片２１５の異なるコーナーをそれぞれ向くよう配設した。
【００２５】
実施例２の場合も膨らみ収納部の天面の凹溝２７０を押圧すると該凹溝２７０が略くの字状にたわみ、カプセル２０４側に容易に折れ曲がる効果を有している。例えば、両手の人差し指と親指とでプレススルーパッケージの両端を挟持し、親指の爪で凹溝２７０を押圧すると膨らみ収納部２２２０は略くの字状に折れ曲がり蓋材6を開封できる。
さらに、片手でパッケージを開封できる。パッケージの一端側を挟持し他端側の角部を机上に押し当て、凹溝７０に親指の爪を当て、膨らみ収納部２０を凹溝７０に沿って略くの字状に折れ曲がるよう親指の爪等で操作することによっても蓋材６を開封できる。
【００２６】
なお上記各実施例において、凹溝の断面形状は略円弧状に限るものでなく角溝、Ｖ溝、Ｕ溝などとしてもよい。勿論、凹溝の幅や深さの設定も任意である。
【産業上の利用可能性】
【００２７】
本発明の薬剤用プレススルーパッケージは錠剤、カプセル剤などの薬剤の包装の他に、小型の医療用品たとえばコンタクトレンズ、磁気円盤や磁気輪、小形の装飾用品たとえば付け爪、電気部品たとえば円盤型電池などの包装にも利用できる。
【図面の簡単な説明】
【００２８】
【図１】本発明の一実施例における薬剤用プレススルーパッケージの平面図
【図２】図１を切断線Ｓ１〜Ｓ１で切断した要部拡大断面図
【図３】本発明のもう一つの実施例におけるカプセル用プレススルーパッケージの平面図
【図４】図４を切断線Ｓ２〜Ｓ２で切断した要部拡大断面図
【図５】従来の薬剤用プレススルーパッケージの斜視図
【図６】図３を切断線Ｓ３〜Ｓ３で切断した要部拡大断面図
【図７】従来のカプセル用プレススルーパッケージの斜視図
【符号の説明】
【００２９】
４  錠剤
６  蓋材
６ａ、６ｂ  フィルム層
１０、２１０  シート状成形体(シート本体)
１１、２１１  短辺
１２、２１２  長辺
１５、２１５  小片
２０、２２０  膨らみ収納部(ポケット)
２１  側壁
２３  頂部(天面)
３０  凹部
５０  開口部
６０、２６０  切り込み（ハーフカット）
７０、２７０  凹溝
１００、２００  プレススルーパッケージ
２０４  カプセル
【図１】
2008308213.tif 000003
【図２】
2008308213.tif 000004
【図３】
2008308213.tif 000005
【図４】
2008308213.tif 000006
【図５】
2008308213.tif 000007
【図６】
2008308213.tif 000008
【図７】
2008308213.tif 000009